(57)【要約】【課題】加熱装置と通信可能に接続された端末装置が、調理情報データベースから通信回線を介して調理コンテンツを受信し、調理コンテンツ利用状況を把握するため、加熱装置の操作情報などの利用履歴データを調理情報データベースに送信して、データベースで利用実績を管理する。データベース上の個人情報を、購入した装置に関連付けて保護するため、加熱装置を個体識別する識別システムに関し、簡単、低コストに実現する加熱装置識別システムを提供する。【解決手段】加熱装置１の通信制御部１１の記憶手段１１１（通信制御部記憶手段）に、装置固有の固有番号を記憶する。同じ番号を本体制御部１０の記憶手段１０１（本体制御部記憶手段）にコピーする。データベース３に使用者情報とともに固有番号を登録し、加熱装置１と使用者に関する情報を管理する。【選択図】図１
2013186783.tif 000002
【特許請求の範囲】
【請求項１】
本体と、前記本体内に設けられた加熱室と、前記加熱室内に載置された被加熱物を加熱する加熱手段と、本体制御部と通信制御部とを設けた加熱装置であって、
前記本体制御部は、前記加熱装置を制御する本体制御部制御手段と、前記加熱手段と、加熱条件などの制御パラメータを記憶しておく本体制御部記憶手段と、前記通信制御部と通信する本体制御部通信手段とを有し、
前記通信制御部は、外部端末装置と無線で通信する外部端末通信手段と、前記通信制御部を制御する通信制御部制御手段と、通信制御部記憶手段とを有し、
前記通信制御部記憶手段に、前記加熱装置を個体識別するための固有番号を記憶し、前記本体制御部記憶手段に前記固有番号を記憶することを特徴とする加熱装置。
【請求項２】
被加熱物を加熱する加熱手段と、本体制御部と通信制御部とを有する加熱装置を備え、
前記本体制御部は、前記加熱装置を制御する本体制御部制御手段と、前記加熱手段と、加熱条件などの制御パラメータを記憶しておく本体制御部記憶手段と、前記通信制御部と通信する本体制御部通信手段とを有し、
前記通信制御部は、外部端末装置と無線で通信する外部端末通信手段と、前記通信制御部を制御する通信制御部制御手段と、通信制御部記憶手段とを有し、
前記通信制御部記憶手段に、前記加熱装置を個体識別するための固有番号を記憶し、前記本体制御部記憶手段に前記固有番号を記憶することを特徴とする加熱装置識別システム。
【請求項３】
前記加熱装置は、前記本体制御部記憶手段に固有番号が記憶されてない場合、前記外部端末通信手段が、前記通信制御部記憶手段に記憶された固有番号を前記本体制御部に送信し、前記本体制御部記憶手段に記憶することを特徴とする請求項２に記載の加熱装置識別システム。
【請求項４】
前記加熱装置は、前記本体制御部記憶手段に記憶された固有番号と、前記通信制御部記憶手段に記憶された固有番号とが異なる場合、前記本体制御部記憶手段に記憶された固有番号を、前記本体制御部通信手段が前記通信制御部に送信し、前記通信制御部記憶手段に記憶された固有番号を変更することを特徴とする請求項２または３に記載の加熱装置識別システム。
【発明の詳細な説明】
【技術分野】
【０００１】
本発明は、装置固有の番号により加熱装置と使用者に関する情報とを管理する加熱装置識別システムに関するものである。
【背景技術】
【０００２】
従来、インターネットなどの通信ネットワークを介して、調理情報データベースから調理コンテンツを受信するネットワーク調理システムや、それを利用した加熱装置が提案されている。そのような加熱装置は、データベースに直接接続したり、データベースに接続する端末装置と通信したりすることで、調理コンテンツを受信し、受信したデータに従って加熱調理を行う（例えば、特許文献１参照）。
【０００３】
また、そのようなネットワーク調理システムにおいて、調理コンテンツ利用状況を把握するため、加熱装置の操作情報などを解析し、利用履歴データをデータベースに送信して、データベースで加熱装置ごとの利用実績を管理するシステムが提案されている（例えば、特許文献２参照）。
【先行技術文献】
【特許文献】
【０００４】
【特許文献１】特開２００５−３７０６８号公報
【特許文献２】特許第３６９６１７９号公報
【発明の概要】
【発明が解決しようとする課題】
【０００５】
しかしながら、前記従来の構成では、加熱装置に関する情報をデータベースが受信して管理する場合、加熱装置と情報とを関連付けて記録するために、複数の加熱装置から一意的に加熱装置を識別する加熱装置識別システムが必要である。また、加熱装置に関する情報は、その加熱装置の使用者に関する情報でもある。近年、個人情報保護に対する要求が急速に高まっており、データベース上の個人情報は他者が簡単にアクセスできないように、保護しなければならない。
【０００６】
加熱装置を一意的に識別する加熱装置識別システムとして、それぞれに固有の識別番号を割り当て、加熱条件などの制御パラメータを記憶しておく、不揮発性のメモリなどに記憶するシステムが、一般的に考えられている。その方法において、装置が故障してメモリが実装された基盤が交換されることがあっても、その加熱装置の識別情報が保持されないと、データベース上の情報が、その装置に関するものだと判別できなくなり、情報が無駄になってしまう。
【０００７】
しかしながら、交換修理対応時に作業者が識別番号の引継ぎをするためには、特別な設備を用意しなければならないので、コストがかかる。また、加熱装置の使用者がデータベース上の識別番号を変更するのは、使用者にとって負担であり、その手続き時に変更ミスが発生する可能性がある。
【０００８】
本発明は、前記従来の課題を解決するために、データベース上の個人情報を、購入した加熱装置に関連付けて保護し、加熱装置を個体識別でき、簡単かつ低コストな構成で実現する加熱装置と加熱装置識別システムを提供することを目的とする。
【課題を解決するための手段】
【０００９】
前記従来の課題を解決するために本発明の本体と、前記本体内に設けられた加熱室と、前記加熱室内に載置された被加熱物を加熱する加熱手段と、本体制御部と通信制御部とを設けた加熱装置であって、前記本体制御部は、前記加熱装置を制御する本体制御部制御手段と、前記加熱手段と、加熱条件などの制御パラメータを記憶しておく本体制御部記憶手段と、前記通信制御部と通信する本体制御部通信手段とを有し、前記通信制御部は、外部端末装置と無線で通信する外部端末通信手段と、前記通信制御部を制御する通信制御部制御手段と、通信制御部記憶手段とを有し、前記通信制御部記憶手段に、前記加熱装置を個体識別するための固有番号を記憶し、前記本体制御部記憶手段に前記固有番号を記憶することを特徴とする。
【００１０】
また、本発明の加熱装置識別システムは、本体制御部と通信制御部とを備え、本体制御部は、装置を制御する制御手段と、被加熱物を加熱する加熱手段と、加熱条件などの制御パラメータを記憶しておく記憶手段と、通信制御部と通信する通信手段とを有し、通信制御部は、外部端末装置と無線で通信する通信手段と、通信制御部を制御する制御手段と、記憶手段とを有し、前記通信制御部の記憶手段に、装置を個体識別するための固有番号を記憶し、本体制御部の記憶手段に同じ番号を記憶することを特徴とする。
【発明の効果】
【００１１】
以上の説明から明らかなように、本発明の加熱装置識別システムによれば、加熱装置を一意的に識別できるようになるため、個々の加熱装置の使用状況などに関する情報を管理、活用し易くなる。また、修理交換時の手間もかからない。以上のことより、生産者が提供するサービスの利便性を最低限のコストで向上させることにつながる。
【図面の簡単な説明】
【００１２】
【図１】本発明の実施の形態１における加熱装置と利用実績を管理する加熱装置識別システムの詳細ブロック図
【図２】本発明の実施の形態１における加熱装置識別システムの本体制御部のフローチャート
【図３】本発明の実施の形態１における加熱装置識別システムの通信制御部のフローチャート
【発明を実施するための形態】
【００１３】
第１の発明は、本体と、前記本体内に設けられた加熱室と、前記加熱室内に載置された被加熱物を加熱する加熱手段と、本体制御部と通信制御部とを設けた加熱装置であって、前記本体制御部は、前記加熱装置を制御する本体制御部制御手段と、前記加熱手段と、加熱条件などの制御パラメータを記憶しておく本体制御部記憶手段と、前記通信制御部と通信する本体制御部通信手段とを有し、前記通信制御部は、外部端末装置と無線で通信する外部端末通信手段と、前記通信制御部を制御する通信制御部制御手段と、通信制御部記憶手段とを有し、前記通信制御部記憶手段に、前記加熱装置を個体識別するための固有番号を記憶し、前記本体制御部記憶手段に前記固有番号を記憶することを特徴とする。
【００１４】
この構成によれば、
第２の発明は、本体制御部と表示制御部とを備えた加熱装置識別システムであり、本体制御部は、装置を制御する制御手段と、被加熱物を加熱する加熱手段と、加熱条件などの制御パラメータを記憶しておく記憶手段と、通信制御部と通信する通信手段とを有し、通信制御部は、外部端末装置と無線で通信する通信手段と、通信制御部を制御する制御手段と、記憶手段とを有し、前記通信制御部の記憶手段に、装置を個体識別するための固有番号を記憶し、本体制御部の記憶手段に同じ番号を記憶することを特徴とする。
【００１５】
この構成によれば、加熱装置の識別する固有番号を外部端末装置に無線通信で送信し、
使用者の情報と合わせてデータベースに記録することで、加熱装置に関する情報を使用者と関連付けて管理できる。
【００１６】
第３の発明は、特に、第２の発明の加熱装置識別システムにおいて、本体制御部の記憶手段に固有番号が記憶されてない場合、通信制御部の通信手段が、通信制御部の記憶手段に記憶された固有番号を本体制御部に送信し、本体制御部の記憶手段に記憶することを特徴とする。
【００１７】
この構成によれば、本体制御部が故障して固有番号は記憶されていない本体制御部に交換された場合、通信制御部の固有番号を読み出して本体制御部の記憶手段に記憶すれば良い。
【００１８】
第４の発明は、特に、第２または第３の発明の加熱装置識別システムにおいて、本体制御部の記憶手段に記憶された固有番号と、通信制御部の記憶手段に記憶された固有番号が異なる場合、本体制御部の記憶手段に記憶された固有番号を、本体制御部の通信手段が通信制御部に送信し、通信制御部の記憶手段に記憶された固有番号を変更することを特徴とする。
【００１９】
この構成によれば、通信制御部が故障した場合、新しい固有番号が記憶された通信制御部に交換しても、本体制御部の記憶手段に元の固有番号が記憶されているため、それを読み出して通信制御部の記憶手段の固有番号を変更すれば良い。
【００２０】
以下、本発明の実施の形態について、図面を参照しながら説明する。なお、本実施の形態によって本発明が限定されるものではない。
【００２１】
（実施の形態１）
図１は本発明の加熱装置と利用実績を管理する加熱装置識別システムの詳細ブロック図である。
【００２２】
図１において、加熱装置識別システムは、加熱装置１と端末装置２とデータベース３を備えている。加熱装置１は例えば電子レンジであり、本体４内に加熱室（図示せず）を備え、本体制御部１０と通信制御部１１とが設けられている。そして、本体制御部１０が有する加熱手段１０３は、本体制御部１０の制御手段１００（本体制御部制御手段）によって制御され、被加熱物を加熱する。なお、加熱手段１０３には、高周波やヒータによるものがあり、その両方を備えていてもよい。
【００２３】
また、加熱装置１の調整値や制御パラメータが、本体制御部１０の不揮発性の記憶手段１０１（本体制御部記憶手段）に記憶されており、制御手段１００は記憶手段１０１から設定値を読み出して使用したり、変更された設定値を記憶手段１０１に書き込んだりできる。本体制御部１０の通信手段１０２（本体制御部通信手段）は、通信制御部１１に加熱装置１の情報を送信する。
【００２４】
次に、本体制御部１０に接続された通信制御部１１は、ＲＦ通信などの無線通信によって、加熱装置１が携帯電話などの端末装置２と通信するためのものである。また、通信制御部１１の記憶手段１１１（通信制御部記憶手段）には、生産時にあらかじめ固有番号を記憶しておく。通信制御部１１の記憶手段１１１に記憶された固有番号は、電源投入時、記憶手段１１１から読み出され、通信手段１１２（外部端末通信手段）によって本体制御部１０に送られる。本体制御部１０の制御手段１００は、受け取った固有番号を記憶手段１０１に記憶する。
【００２５】
端末装置２は、インターネットなどに代表される通信回線を介してデータベース３に接続し、加熱装置１から受信した情報をデータベース３に送信する。また、調理コンテンツなどの情報をデータベース３から受信し、加熱装置１に送信することもできる。
【００２６】
データベース３は、調理コンテンツや加熱装置と使用者に関する情報を蓄積、管理する。ここで、調理コンテンツとは、料理レシピや完成イメージ、出力、温度や時間設定を含み、加熱室内に載置された被加熱物の加熱を、加熱装置１で実行するための加熱データなどがある。
【００２７】
使用者が、これらの調理コンテンツを利用するには、コンテンツ提供者が開設するインターネット上の利用登録用ホームページなどで、使用者情報を登録する。その際、端末装置２と加熱装置１間の通信により、加熱装置１に記録された固有番号を端末装置２で受信し、使用者情報やパスワードとともに登録すれば、使用者情報と加熱装置１を一意的に関連付けて、保護することができる。
【００２８】
使用者は、端末装置２に加熱データを受信し、加熱装置１に送信する。これにより、レシピに沿って食品を加熱調理することができる。また、端末装置２に記録されたデータベース閲覧用ソフトウェアを用いて、使った調理コンテンツを保存したり、自分好みに編集したり、調理した写真を登録するなど、データベース３上の情報を編集して保存できる。加熱装置１の制御手段１００は、加熱装置１の調理回数や調理時間などの使用状況を記憶手段１０１に記憶しておき、端末装置２を介して、データベース３に使用状況データを送信し保存する。
【００２９】
次に、加熱装置１が故障した場合について述べる。加熱装置１の本体制御部１０と通信制御部１１とは独立した構成であり、別々に交換が可能である。例えば、故障箇所が本体制御部１０にあれば本体制御基板を交換し、また、通信制御部１１にあれば通信制御基板を交換して対応できる。通信制御部１１の記憶手段１１１には、生産時に固有番号が記憶されるが、交換基板の固有番号は、交換用であることがわかる記号を割り振る。
【００３０】
図２は本体制御部１０の制御フローである。本体制御基板が交換された場合、新しい本体制御部１０の記憶手段１０１には、固有番号が記憶されていない。そこで、本体制御部１０の制御手段１００は、電源投入後（Ｓ２１）、記憶手段１０１から固有番号を読み出す（Ｓ２２）。通信制御部１１の記憶手段１１１に記憶された固有番号を、通信手段１１２を介して、通信手段１０２で受信し（Ｓ２３）、記憶手段１０１に固有番号が記憶されていなければ（Ｓ２４）、記憶手段１０１に受信した固有番号を記憶する（Ｓ２６）。
【００３１】
図３は通信制御部１１の制御フローチャートである。通信制御基板が交換された場合、新しい通信制御部１１の記憶手段１１１には、新しい固有番号が記憶されているが、本体制御部１０には元の固有番号が記憶されているので、通信制御部１１の固有番号と本体制御部１０の固有番号とが異なる。
【００３２】
そこで、通信制御部１１の制御手段１１０は、電源投入後（Ｓ３１）、記憶手段１１１から固有番号を読み出し（Ｓ３２）、本体制御部１０の固有番号を受信する（Ｓ３３）。通信制御部１１の固有番号と本体制御部１０の固有番号とを比較し（Ｓ３４）、異なっていれば、本体制御部１０の固有番号を記憶手段１１１に記憶する（Ｓ３５）。
【００３３】
本体制御基板と通信制御基板の両方が交換された場合は、図２の制御フローに従って、新しい通信制御部１１の固有番号が、新しい本体制御部１０に記憶される。加熱装置１の固有番号は、データベース３に登録したものと変わるので、この場合は、使用者が固有番号の引継ぎをする必要がある。端末装置２に新しい固有番号を受信し、データベース３に
古い固有番号と関連付けて、新しい固有番号を登録する。
【００３４】
以上のように本実施形態によると、加熱装置１と使用者情報とを固有番号で管理でき、その固有番号は簡単にコピーできないので、使用者はデータベース３上の調理コンテンツを安心して利用できる。生産者は、加熱装置１の使用実績データをデータベース３に蓄積し、蓄積したデータを分析して、使用者の好みに合ったコンテンツを開発したり、メンテナンス情報を提供したりできる。また、故障修理時、修理対応者が特別な冶具を用意することなく、固有番号を引継ぐことができ、使用者の手間もほとんどかからない。
【００３５】
なお、本実施形態では、端末装置２を介して加熱装置１からデータベース３にデータを送受信する構成としたが、加熱装置１がデータベース３と直接通信する構成でも良い。また、通信手段は無線としたが、有線でもかまわない。また、加熱装置１にＳＤカードなどの記憶媒体の読み書きができる手段を設け、データベース３とのデータの送受信を記憶媒体を使うようにしてもよい。
【００３６】
なお、固有番号は生産時に通信制御部１１の記憶手段１１１に記憶し、電源投入時に本体制御部１０にコピーするとしたが、生産時に記憶するのは本体制御部１０の記憶手段１０１でもよい。
【産業上の利用可能性】
【００３７】
以上のように、本発明にかかる加熱装置識別システムは、加熱装置を一意的に識別できるようになり、個々の加熱装置の使用状況などに関する情報を管理、活用が可能となるので、個人用加熱装置、業務用加熱装置等の用途に適用できる。
【符号の説明】
【００３８】
１  加熱装置
２  端末装置
３  データベース
４  本体
１０  本体制御部
１１  通信制御部
１００  制御手段（本体制御部制御手段）
１０１  記憶手段（本体制御部記憶手段）
１０２  通信手段（本体制御部通信手段）
１０３  加熱手段
１１０  制御手段（通信制御部制御手段）
１１１  記憶手段（通信制御部記憶手段）
１１２  通信手段（外部端末通信手段）
【図１】
2013186783.tif 000003
【図２】
2013186783.tif 000004
【図３】
2013186783.tif 000005